(57)【要約】【課題】  時間と手間の掛からない簡単な手段でサイドパネルを取付けることができるサイドパネルの取付装置及びその取付具を提供すること。【解決手段】  天板(2)の天面に取付穴(18)が設けられ、サイドパネル(10)の下端部に第１のパネルキャッチ(23)が取付けられ、この第１のパネルキャッチ(23)に上下方向で着脱可能に係合する第２のパネルキャッチ(24)が取付けられ、この第２のパネルキャッチ(24)に取付穴(18)に差し込まれて係合する突起部(35)が設けられている。【選択図】      図６
0003123105.tif 000002
【実用新案登録請求の範囲】
【請求項１】
天板の天面に取付穴が設けられ、サイドパネルの下端部に第１のパネルキャッチが取付けられ、この第１のパネルキャッチに上下方向で係合する第２のパネルキャッチが取付けられ、この第２のパネルキャッチに前記取付穴に差し込まれて係合する突起部が設けられていることを特徴とするサイドパネルの取付装置。
【請求項２】
第１のパネルキャッチは、板部と該板部の一面に設けた凸部とを有しており、該板部がサイドパネルの一側面に係止し、凸部がサイドパネルの下端部に設けた貫通孔を経てサイドパネルの他側面に突出して第２のパネルキャッチが取付けられることを特徴とする請求項１記載のサイドパネルの取付装置。
【請求項３】
第２のパネルキャッチは、第１のパネルキャッチが差し込まれる時に係合する弾性部材を有することを特徴とする請求項１又は２記載のサイドパネルの取付装置。
【請求項４】
請求項１乃至３のいずれか記載のサイドパネルの取付装置に用いられるものであって、板部と凸部を有する第１のパネルキャッチと、下端が開口して内部が中空の本体を有する第２のパネルキャッチとを具備し、
第１のパネルキャッチは、凸部がサイドパネルの下端部の貫通孔を通って突出して第２のパネルキャッチが差し込まれて取付けられ、
第２のパネルキャッチは、下端が開口して内部が中空に形成された本体を有し、前記中空部には下端開口部から第１のパネルキャッチが係合して収納されるようになっているとともに、本体下面には前記取付穴に係合する突起部が設けられていることを特徴とするサイドパネルの取付具。
【請求項５】
第２のパネルキャッチの中空部には、第１のパネルキャッチが収納される際に第１のパネルキャッチと弾性係止する弾性部材が設けられていることを特徴とする請求項４記載のサイドパネルの取付具。
【考案の詳細な説明】
【技術分野】
【０００１】
この考案は、オフィスの事務室等に用いられる折り畳みデスクのサイドパネルの取付装置及びその取付具に関するものである。ここで、「折り畳みデスク」とは一般的なＪＩＳ規格デスクの天板を水平状態から垂直状態に回動して折り畳めるようにしたものを指称するが、天板の左右の長さが長いデスクサイズとなった折り畳みデスクも含むものとする。
【背景技術】
【０００２】
本出願人は、嘗て操作において手を挟む危険性がなくて安全であり、操作性にも優れた折り畳みテーブルの係止装置を提供した（特許文献１参照）。この特許文献１に記載された折り畳みテーブルは、同文献に示されるように、天板を水平状態と垂直状態とに回動して係止する係止装置が、支柱の上端間に架設されたビーム上面と天板下面との間に設けられている。
【０００３】
このような折り畳みテーブルにおいて、天板の両側にアクリルパネルのようなサイドパネルを取付けることが要望され、図１０及び図１１に示すようなパネル取付具が従来において用いられている。
【０００４】
このような従来におけるパネル取付具１１０は、折り畳みテーブルの天板１００にサイドパネル１０２を取付けるために、金属板をコの字形に折り曲げて作られており、このパネル取付具１１０を、テーブルの天板１００を挟み込むように取付け、上折曲部１１２に設けられた起立部１１６をサイドパネル１０２にねじで止め、下折曲部１１４を下方からねじ１２０で固定する方法をとっている。
【０００５】
【特許文献１】特許第２８６８７５５号公報
【考案の開示】
【考案が解決しようとする課題】
【０００６】
しかしながら、このような従来のパネル取付具１１０は、天板１００とサイドパネル１０２とに夫々ねじで止めて取付けなければならず、手間と時間が掛かって厄介な作業を要するという問題がある。
【０００７】
そこでこの考案は、前記のような従来の問題を解決して、時間と手間の掛からない簡単な手段でサイドパネルを取付けることができるサイドパネルの取付装置及びその取付具を提供することを目的とする。
【課題を解決するための手段】
【０００８】
上記の目的を達成するために、請求項１の考案は、天板の天面に取付穴が設けられ、サイドパネルの下端部に第１のパネルキャッチが取付けられ、この第１のパネルキャッチに上下方向で係合する第２のパネルキャッチが取付けられ、この第２のパネルキャッチに取付穴に差し込まれて係合する突起部が設けられたサイドパネルの取付装置である。
【０００９】
請求項２の考案は、請求項１において、第１のパネルキャッチが、板部と該板部の一面に設けた凸部とを有しており、板部がサイドパネルの一側面に係止し、凸部がサイドパネルの下端部に設けた貫通孔を経てサイドパネルの他側面に突出して第２のパネルキャッチが取付けられることを特徴とする。
【００１０】
請求項３の考案は、請求項１又は２において、第２のパネルキャッチは、第１のパネルキャッチが差し込まれる時に係合する弾性部材を有することを特徴とする。
【００１１】
請求項４の考案は、請求項１乃至３のいずれかのサイドパネルの取付装置に用いられるものであって、板部と凸部を有する第１のパネルキャッチと、下端が開口して内部が中空の本体を有する第２のパネルキャッチとを具備し、第１のパネルキャッチは、凸部がサイドパネルの下端部の貫通孔を通って突出して第２のパネルキャッチが差し込まれて取付けられ、第２のパネルキャッチは、下端が開口して内部が中空に形成された本体を有し、中空部には下端開口部から第１のパネルキャッチが係合して収納されるようになっているとともに、本体下面には取付穴に係合する突起部が設けられたサイドパネルの取付具である。
【００１２】
請求項５の考案は、請求項４において、第２のパネルキャッチの中空部には、第１のパネルキャッチが収納される際に第１のパネルキャッチと弾性係止する弾性部材が設けられていることを特徴とする。
【考案の効果】
【００１３】
この考案は、前記のようであって、互いに係合するように差し込まれる第１及び第２のパネルキャッチがサイドパネルを挟んで設けられるために、サイドパネルに簡単に取付けることが可能となり、時間と手間が掛からず、簡単に取付けできるという優れた効果が期待できる。
【考案を実施するための最良の形態】
【００１４】
この考案の一実施の形態を、添付した図面を参照しながら詳細に説明する。
【００１５】
図１は、この考案の一実施の形態の折り畳みデスクを示す中央縦断面図、図２は、図１の折り畳みデスクのサイドパネルを取外して天板を折り畳んだ時の中央縦断面図、図３は、図１の折り畳みデスクの全体斜視図、図４は、図３の円Ａ部分の拡大部分図、図５は、図３の円Ｂ部分の拡大部分図、図６は、図５のサイドパネルの取付装置を分解拡大して示す斜視図、図７は、サイドパネルに第１パネルキャッチを取付ける時の断面部分図、図８は、図７の第１パネルキャッチに第２パネルキャッチを取付ける時の断面部分図、図９は、サイドパネルに取付けた第１、第２パネルキャッチを折り畳みデスクの天板に取付ける時の断面部分図である。
【００１６】
図１及び図２に示すように、折り畳みデスク１は、天板２と、この天板２を支えるように取付けられるフレーム部材３と、左右１対の支柱４と、支柱４が略中間に立設され、前後にキャスター６が設けられた脚台５と、支柱４の上端部間に架設された横ビーム７と、天板２の後部に垂下するように取付けられた幕板８と、この幕板８に一体的に取付けられたデスクトップパネル９と、天板２の左右に設けられたサイドパネル１０と、サイドパネル１０を天板２に取付ける取付装置２０とから主に構成されている。
【００１７】
天板２は、枠型の形状に組み込まれたフレーム部材３に、例えばねじのような固着部材を用いて取付けられており、このフレーム部材３が、横ビーム７が架設された左右の支柱４に対して支柱４の上部に回動可能に設けられていて、天板２を水平状態から垂直状態に或いは垂直状態から水平状態に折り畳みできるようになっている。
【００１８】
脚台５には、前後に１対のキャスター６が設けられていて床面上を自由に移動できるようになっており、所定位置においてキャスター６を固定して折り畳みデスク１を設置することができる。
【００１９】
また、天板２の後部には幕板８が回動可能に設けられており、幕板８の略中央においてアーム部材１２によって支柱４に連結されている。さらに、幕板８には、デスクトップパネル９が取付部材１５とねじ１６とによって取外し可能に取付けられている。従って、デスクトップパネル９は、異なった高さのデストップパネルを取替え可能に取付けることができる。
【００２０】
天板２は、下面側に固着されたフレーム部材３が支柱４の上端部に回動可能に取付けられており、ラッチレバー１４を、例えば手前側に引いて係止装置（図示しない）による係止を外すことによって、天板２を図１の水平状態から図２の垂直状態に回動することができる。
【００２１】
このような係止装置は、この考案の主要部を構成するものではないので、ここではその詳細な説明については省略するものとする。
【００２２】
図３乃至図６に示すように、折り畳みデスク１の天板２の左右両側にサイドパネル１０が取付装置２０によって取外し可能に取付けられる。
取付装置２０は、第１のパネルキャッチ２３と第２のパネルキャッチ２４とを有する取付具２２から構成されている。
【００２３】
取付装置２０を構成する取付具２２を取付けるために、折り畳みデスク１の天板２の対応する位置に垂直方向にあけられた取付穴１８が設けられると共に、サイドパネル１０の対応する位置に横方向にあけられた貫通孔２５と切欠き２６とが設けられている。
【００２４】
取付具２２は、サイドパネル１０の外側から取付けられる雄型部材としての第１のパネルキャッチ２３と、サイドパネル１０を貫通して内側に突出する第１のパネルキャッチ２３に嵌め込まれて取付けられる雌型部材としての第２のパネルキャッチ２４とを組合わせて構成されるもので、サイドパネル１０を第１のパネルキャッチ２３と第２のパネルキャッチ２４との間に挟んで両側から夫々取付けられるように作られている。
【００２５】
第１のパネルキャッチ２３は、板部２７と、この板部２７の一方の面に設けられた凸部２８と、板部２７の下端に設けられた係止部２９とを有しており、板部２７は、略長方形状または台形状をなしていて、略中央に凸部２８が設けられると共に、下端に略直角に屈曲した係止部２９が設けられている。凸部２８は、板部２７の一方の面から突出した、差込み方向から見て小判型のような略長円形状をなしていて、頂面が差し込み方向と直角な方向に対して板部２７に向って傾斜しており、凸部２８の側面にテーパの付いたくさび形の窪み部３０が設けられている。
【００２６】
第２のパネルキャッチ２４は、側方から見た外観形状が略Ｌ字形をしており、図８に示されるように内部が中空に形成された中空部３３を有する本体３２から構成されていて、この中空部３３内に、下端の開口部３４から第１のパネルキャッチ２３が差し込まれて収納されるように作られており、本体３２の下面に下方に突出するように突起部３５が設けられると共に、内部の中空部３３内に図示で上方から下方に向って傾斜した弾性部材３６が設けられている。この弾性部材３６は、第１のパネルキャッチ２３が第２のパネルキャッチ２４内に差し込まれて収納される時に、第１のパネルキャッチ２３の窪み部３０に係合して固持されるように中央に溝のある略逆Ｕ字形に形成されている。このような第１のパネルキャッチ２３と第２のパネルキャッチ２４は、硬質のプラスチックのような合成樹脂材料で形成して作ることができる。なお、突起部３５は、折り畳みデスク１の天板２に設けられた取付穴１８に差し込んだ時に、しっかりとフィットして係合するように直径が決められるのが好適である。
【００２７】
次に、この実施の形態におけるサイドパネルの取付具の取付け及び取外し手順について説明する。
【００２８】
第１のパネルキャッチ２３と第２のパネルキャッチ２４のサイドパネル１０への取付け手順が図７乃至図９に示される。
【００２９】
先ず、天板２が水平状態にある折り畳みデスク１おいて、図７に示されるように、サイドパネル１０の貫通孔２５に第１のパネルキャッチ２３の凸部２８を外側から内側に向って差し込むと同時に、下端の係止部２９を切欠き２６に差し込む。これによって、第１のパネルキャッチ２３の板部２７がサイドパネル１０の外側面に接触して取付けられる。
【００３０】
次いで、図８に示されるように、第２のパネルキャッチ２４を、サイドパネル１０の内側に置いて、サイドパネル１０の内側の面に沿って上方から滑らすように動かして、サイドパネル１０の内側に突出する第１のパネルキャッチ２３を引き込むように第２のパネルキャッチ２４の中空部３３内に第１のパネルキャッチ２３を差し込んで、第２のパネルキャッチ２４を第１のパネルキャッチ２３に係合して第１のパネルキャッチ２３に第２のパネルキャッチ２４を固定させる。この時に、第２のパネルキャッチ２４の弾性部材３６が、第１のパネルキャッチ２３の凸部２８のくさび状の窪み部３０に係合してくさび作用を行うので、第２パネルキャッチ２４が第１パネルキャッチ２３にしっかりと固定されるようになる。これによって、サイドパネル１０に第１のパネルキャッチ２３と第２のパネルキャッチ２４とが取付けられてしっかりと固定される。この状態が図９に示されている。
【００３１】
このようにして、折り畳みデスク１に、第１のパネルキャッチ２３と第２のパネルキャッチ２４とからなる取付具２２が取付けられたサイドパネル１０を取付けることができるようになる。
【００３２】
上記の如く、第１のパネルキャッチ２３と第２のパネルキャッチ２４とからなる取付具２２が装着されたサイドパネル１０を折り畳みデスク１の天板２に取付けるためには、図４に示されるように、デスクトップパネル９の両端のスリット１７に、透明または半透明、或いは不透明のアクリルパネルのようなサイドパネル１０の後方端部を差し込むと同時に、サイドパネル１０の前方下部に取付けられた取付具２２の突起部３５を、図５及び図９に示されるように天板２の取付穴１８に差し込んで取付ける。これによって、サイドパネル１０が折り畳みデスク１の天板２に、簡単かつ容易に、しかも短時間で、しっかりと固定して取付けられるようになる。
【００３３】
サイドパネル１０を天板２から取外すには、上述した順序と逆の手順で取外すことができる。先ず、図３に示される折畳みデスク１において、天板２に取付けられたサイドパネル１０の前方部分を掴んで上方に持ち上げて、取付具２２の突起部３５を天板２の取付穴１８から引き抜くようにする。これと同時に、サイドパネル１０の後方端部をデスクトップパネル９のスリット１７から引き出すように手前側に引張って引き外す。これによってサイドパネル１０を折り畳みデスク１の天板２から取外すことができるようになるので、必要に応じて別の新たなサイドパネルと取り替えることができるようになる。
【００３４】
上述したように、この考案のサイドパネルの取付装置及びその取付具は、相互に係合する第１のパネルキャッチと第２のパネルキャッチとを、サイドパネルを挟んで両側から取付けて、サイドパネルから突出する第１のパネルキャッチに第２のパネルキャッチを差し込んでサイドパネルに取付けでき、第２のパネルキャッチの突起部を天板の取付穴に差し込むと共にサイドパネルの後端部をデスクトップパネルのスリットに差し込んで取付けることができ、時間と手間が掛からず簡単な手段でサイドパネルを取付けることができる。
【００３５】
以上、この実施の形態は好ましい一例を示したにすぎず、サイドパネルの取付具の形状をはじめ、サイドパネルの取付装置の具体的な構造や配置は実施に際し、実用新案登録請求の範囲の記載の範囲内で任意に修正、変更することができるものである。また、デスクは、折り畳みデスクに限らず、天板が固定されたデスクやテーブルでも良く、一般のオフィス用スティールデスクにも使用できる。
【図面の簡単な説明】
【００３６】
【図１】この考案の一実施の形態の折り畳みデスクを示す中央縦断面図である。
【図２】図１の折り畳みデスクのサイドパネルを取外して天板を折り畳んだ時の中央縦断面図である。
【図３】図１の折り畳みデスクの全体斜視図である。
【図４】図３の円Ａ部分の拡大部分図である。
【図５】図３の円Ｂ部分の拡大部分図である
【図６】図５のサイドパネルの取付装置を分解拡大して示す斜視図である。
【図７】サイドパネルに第１のパネルキャッチを取付ける時の断面部分図である。
【図８】図７の第１のパネルキャッチに第２のパネルキャッチを取付ける時の断面部分図である。
【図９】サイドパネルに取付けた第１、第２のパネルキャッチを折り畳みデスクの天板に取付ける時の断面部分図である。
【図１０】従来のパネル取付具の一例を示す上方から見た斜視図である。
【図１１】図１０の従来のパネル取付具を下方から見た斜視図である。
【符号の説明】
【００３７】
１  折畳みデスク
２  天板
３  フレーム部材
４  支柱
５  脚台
６  キャスター
７  横ビーム
８  幕板
９  デストップパネル
１０  サイドパネル
１２  アーム部材
１４  ラッチレバー
１５  取付部材
１６  ねじ
１７  スリット
１８  取付穴
２０  取付装置
２２  取付具
２３  第１パネルキャッチ
２４  第２パネルキャッチ
２５  貫通孔
２６  切欠き
２７  板部
２８  凸部
２９  係止部
３０  窪み部
３２  本体
３３  中空部
３４  開口部
３５  突起部
３６  弾性部材
【図１】
0003123105.tif 000003
【図２】
0003123105.tif 000004
【図３】
0003123105.tif 000005
【図４】
0003123105.tif 000006
【図５】
0003123105.tif 000007
【図６】
0003123105.tif 000008
【図７】
0003123105.tif 000009
【図８】
0003123105.tif 000010
【図９】
0003123105.tif 000011
【図１０】
0003123105.tif 000012
【図１１】
0003123105.tif 000013